(57)【特許請求の範囲】
【請求項１】
ブックシェルフ筐体の開口部よりブックシェルフ筐体内にプリント基板を挿入後、回転ピンによりプリント基板に回転自在に支承された挿抜レバーの一端側を、ブックシェルフ筐体の開口部に設けられた係止部材に係止した状態で、挿抜レバーの他端側を回動することにより、プリント基板をブックシェルフ筐体内に実装したら、挿抜レバーをプリント基板に設けられた長孔に沿って上下方向へ移動させて、挿抜レバーに設けられたロックピンを、ロック溝のロック凹部へ係合することを特徴とするプリント基板の固定方法。
【請求項２】
プリント基板を実装するブックシェルフ筐体の開口部に設けられた係止部材と、プリント基板の一端側に回転ピンにより回転自在に支承され、かつ上記係止部材に一端側を係止することにより、プリント基板を固定する挿抜レバーと、上記挿抜レバーが上下方向に移動できるように上記回転ピンを支承すべく上記プリント基板に設けられた長孔と、上記挿抜レバーに設けられたロックピンを係止するロック凹部を有して前記プリント基板に設けられたロック溝とを具備することを特徴とするプリント基板の固定装置。
【発明の詳細な説明】
【０００１】
【発明の属する技術分野】
この発明は電子装置のブックシェルフ筐体内に実装するプリント基板の固定方法及び固定装置に関する。
【０００２】
【従来の技術】
従来この種の固定方法としては、例えば特開平９−３３８０５２号公報に記載されたものが公知である。
【０００３】
上記公報のプリント基板固定方法は、図１０及び図１１に示すように、ブックシェルフ筐体ａの上下面に、プリント基板ｂの上下縁をガイドするガイドレールｃが形成されていて、このガイドレールｃに沿ってプリント基板ｂを挿入することにより、ブックシェルフ筐体ａ内にプリント基板ｂが実装できるようになっている。
【０００４】
またブックシェルフ筐体ａの奥にはマザーボードｄが設けられていて、ブックシェルフ筐体ａ内に実装されたプリント基板ｂは、コネクタｅを介してマザーボードｄと結合されるようになっていると共に、プリント基板ｂの前端にはフロントパネルｆが設けられていて、このフロントパネルｆの上下端に挿抜レバーｇがピンｈにより回動自在に取付けられている。
【０００５】
そしてブックシェルフ筐体ａの開口部には、上記挿抜レバーｇの先端に形成された挿抜用突部ｉが係合する取付け凹部ｊが設けられていて、この取付け凹部ｊに挿抜レバーｇの挿抜用突部ｉを係合した状態で、挿抜レバーｇの係合片ｋをフロントパネルｆの係合片ｍに係止することにより、輸送中に振動や衝撃が加わってもプリント基板ｂが抜け出さないようにしている。
【０００６】
【発明が解決しようとする課題】
しかし上記従来のプリント基板の固定方法では、挿抜レバーｇの係合片ｋをフロントパネルｆの係合片ｍに単に係止する構造のため、ブックシェルフ筐体ａや、プリント基板ｂに大きな振動や衝撃が加わると、係合片ｋ，ｍ同士が外れてしまい、プリント基板ｂがブックシェルフ筐体ａ内より簡単に抜け出してしまう不具合があった。
【０００７】
この発明はかかる不具合を改善するためになされたもので、ブックシェルフ筐体や、プリント基板に大きな振動や衝撃が加わっても、プリント基板が簡単に抜け出すことのないブックシェルフ筐体のプリント基板固定方法及び固定装置を提供することを目的とするものである。
【０００８】
【課題を解決するための手段】
この発明は上記目的を達成するため、プリント基板に設けた長孔に、回転ピンにより挿抜レバーを回転及び上下方向に移動自在に支承すると共に、挿抜レバーに、挿抜レバーをプリント基板の固定位置に係止するロックピンを設けたもので、プリント基板を実装したブックシェルフ筐体に、プリント基板が抜け出す方向に振動や衝撃が作用しても、ロックピンが挿抜レバーの回転を阻止するため、プリント基板が抜け出すのを確実に防止することができる。
【０００９】
【発明の実施の形態】
この発明の請求項１に記載の発明は、ブックシェルフ筐体の開口部よりブックシェルフ筐体内にプリント基板を挿入後、回転ピンによりプリント基板に回転自在に支承された挿抜レバーの一端側を、ブックシェルフ筐体の開口部に設けられた係止部材に係止した状態で、挿抜レバーの他端側を回動することにより、プリント基板をブックシェルフ筐体内に実装したら、挿抜レバーをプリント基板に設けられた長孔に沿って上下方向へ移動させて、挿抜レバーに設けられたロックピンを、ロック溝のロック凹部へ係合するようにしたものである。
【００１０】
上記方法により、ロック凹部に係合されたロックピンにより挿抜レバーの回動が阻止されるため、ブックシェルフ筐体にプリント基板が抜け出る方向の振動や衝撃が作用しても、プリント基板が抜け出る虞がない。
【００２５】
この発明の請求項２に記載の発明は、プリント基板を実装するブックシェルフ筐体の開口部に設けられた係止部材と、プリント基板の一端側に回転ピンにより回転自在に支承され、かつ上記係止部材に一端側を係止することにより、プリント基板を固定する挿抜レバーと、上記挿抜レバーが上下方向に移動できるように上記回転ピンを支承すべく上記プリント基板に設けられた長孔と、上記挿抜レバーに設けられたロックピンを係止するロック凹部を有して前記プリント基板に設けられたロック溝とにより構成したものである。
【００２６】
上記構成により、ロック凹部に係合されたロックピンにより挿抜レバーの回動が阻止されるため、ブックシェルフ筐体にプリント基板が抜け出る方向の振動や衝撃が作用しても、プリント基板が抜け出る虞がない。
【００４１】
以下この発明の実施の形態を図１ないし図８に示す図面を参照して詳述する。
図１はプリント基板を実装するブックシェルフ筐体の斜視図、図２はプリント基板に設けられた挿抜レバーの斜視図、図３は同分解斜視図、図４は図３のＡ円内の拡大図、図５は図３のＢ円内の拡大図、図６は図３のＣ円内の拡大図、図７の（イ）乃至（ニ）及び図８の（イ）、（ロ）は作用説明図である。
【００４２】
図１において１は前面が開口したブックシェルフ筐体で、上面と下面の内面に、プリント基板２の上下縁をガイドする複数のガイドレール１ａが横方向に等間隔に突設されている。
【００４３】
上記ブックシェルフ筐体１の内側奥には、縦方向にマザーボード３が設けられていて、これらマザーボード３には、ガイドレール１ａに沿って挿入されたプリント基板２の一端側に設けられたコネクタ４と結合するコネクタ５が、各プリント基板２毎に設けられていると共に、プリント基板２の他端側には、上下角部に挿抜レバー６が回転ピン７により回動自在に取付けられている。
【００４４】
上記挿抜レバー６は、一端側に上記ブックシェルフ筐体１の開口部上下縁に設けられたチャンネル状の係止部材８の立ち上り部８ａに係脱自在に係合する挿入用突部６ａと、抜出用突部６ｂがほぼ円形の切欠き６ｃを挟んで対向するように設けられていて、全体が弾性を有する合成樹脂により一体に成形されていると共に、挿入用突出部６ａの近傍には、回転ピン７が挿入されている。
【００４５】
上記回転ピン７は、径方向に弾性を付与するため、図６に示すように軸線方向に鋸歯状の割り溝７ａが形成されていて、上記プリント基板２の隅角部に穿設された上下方向に細長い長孔９内に、上下方向に移動自在に挿入されていると共に、上記挿抜レバー６の他端側はほぼヘ字形に屈曲されていて、屈曲部にロックピン１０がインサート成形や、圧入などの手段で挿抜レバー６と一体に設けられている。
【００４６】
またプリント基板２には、上記ロックピン１０が係合するロック溝１２が、各挿抜レバー６毎に設けられている。
【００４７】
上記ロック溝１２は、長孔９の回転部（上側の長孔９は下端、下側の長孔９は上端）９ａに回転ピン７を位置させて挿抜レバー６を回転させたときにロックピン１０が嵌入する位置に、図４に示すようなピン挿入口１２ａが、そしてこれらピン挿入口１２ａの奥に、ピン挿入口１２ａとほぼ直角となるようロック部１２ｂが連設されていて、ロック部１２ｂの途中には、ロックピン１０が係合するロック凹部１２ｃが形成されており、上記ピン挿入口１２ａの開口部の一方には、ロックピン１０をピン挿入口１２ａへ案内する円弧状ガイド部１２ｄが形成されている。
【００４８】
次に上記構成されたプリント基板固定装置により、ブックシェルフ筐体１にプリント基板２を固定する方法を説明する。
【００４９】
ブックシェルフ筐体１内に実装すべきプリント基板２の一端側を、ブックシェルフ筐体１の前面開口部より挿入して、プリント基板２の上下縁をガイドレール１ａに嵌合し、この状態でプリント基板２をさらに押し込むと、図７の（イ）に示すように挿抜レバー６の抜出用突部６ｂの先端がブックシェルフ筐体１の開口部上下縁に設けられたチャンネル状の係止部材８の立ち上り部８ａに外側より当接する。
【００５０】
次にこの状態で挿抜レバー６を支承する回転ピン７を、プリント基板２に形成された長孔９の回転部９ａに位置させた状態で、挿抜レバー６の他端側を回転ピン７を中心に図７の（ロ）に示す矢印Ｅ方向へ回動する。
【００５１】
これによって挿抜レバー６の挿入用突部６ａが係止部材８の立ち上り部８ａに内側より当接するので、この状態でさらに挿抜レバー６を回転させると、図７の（ハ）に示すように挿入用突部６ａを支点とするテコの作用でプリント基板２に大きな押し込み力Ｇが発生して、プリント基板２に設けられたコネクタ４がマザーボード３のコネクタ５に結合される。
【００５２】
各コネクタ４，５の結合が完了したら、挿抜レバー６の他端側をさらに図７の（ロ）に示す矢印Ｅ方向へ押圧して、挿抜レバー６を矢印Ｆ方向へ弾性変形させながらロックピン１０をロック溝１２のロック部１２ｂまで移動させ、この状態で上側の挿抜レバー６は上方へ、そして下側の挿抜レバー６は図７の（ハ）に示すように下方へ移動させて、ロックピン１０をロック部１２ｂのロック凹部１２ｃへ図７の（ニ）に示すよう移動したら、挿抜レバー６を解放する。
【００５３】
これによって挿抜レバー６の弾性によりロックピン１０がロック凹部１２ｃへと係合されて、ブックシェルフ筐体１に対してプリント基板２が固定されると共に、プリント基板２の固定中は、挿抜レバー６の弾性によりロックピン１０が常にロック凹部１２ｃ内に押し付けられているため、ブックシェルフ筐体１やプリント基板２に大きな振動や衝撃が作用しても、ロックピン１０がロック凹部１２ｃ内より抜け外れることがない。
【００５４】
また挿抜レバー６を弾性変形させて、ロックピン１０をロック溝１２のロック部１２ｂへ挿入する際、、回転ピン７が径方向に弾性変形するため、ロックピン１０の挿入が容易に行えると共に、ロックピン１０をロック凹部１２ｃに係合後は、回転ピン７は長孔９のロック部９ｂ内に保持される。
【００５５】
なお回転ピン７を中心に挿抜レバー６を回動する際、回転ピン７が図８の（イ）に示すように長孔９の回転部９ａにない場合、ロックピン１０はロック溝１２のピン挿入口１２ａに達しないことがあるが、ピン挿入口１２ａの開口部に予め円弧状ガイド部１２ｄが形成されていることから、ロックピン１０はこの円弧状ガイド部１２ｄに図８の（ロ）に示すように案内されてピン挿入口１２ａに達するようになり、これによって回転ピン７も長孔９内を回転部９ａへ移動されるため、何等支承なくプリント基板２の固定作業を行うことができる。
【００５６】
一方ブックシェルフ７筐体１内に実装されたプリント基板２を、ブックシェルフ筐体１内より抜き出す場合は、図７の（ニ）に示すロック状態から、上側の挿抜レバー６は下方へ、そして下側の挿抜レバー６は上方へ移動させて、ロックピン１０をロック凹部１２ｃより外す。
【００５７】
これによって回転ピン７も長孔９のロック部９ｂより回転部９ａへ移動するので、この状態で回転ピン７を中心に各挿抜レバー６を、ロック時と逆の方向へ回動させると、挿抜レバー６の抜出用突部６ｂが係止部材８の立ち上り部８ａに外側に当接するので、さらに挿抜レバー６を回動させると、プリント基板２に図７の（ハ）に示す矢印Ｇ方向と逆の方向に抜出し力が作用して、プリント基板２のコネクタ４と、マザーボード３のコネクタ５間が切離されるので、この状態でプリント基板２を引き出すことにより、ブックシェルフ筐体１内より簡単にプリント基板２を抜き出すことができる。
【００５８】
なお上記実施の形態では、長孔９の回転部９ａとロック部９ｂをほぼ同径にしたが、ロック部９ｂ側を回転ピン７の外径よりやや小径とすることにより、回転ピン７を回転部９ａからロック部９ｂへ移動させた際、回転ピン７の径が縮小されて、回転ピン７とロック部９ｂの摩擦抵抗が増大するため、プリント基板２の固定時、回転ピン７がロック部９ｂより回転部９ａ側へ移動しにくくなってロック力が増すと共に、プリント基板２を固定していない状態では、回転ピン７が挿抜レバー６の自重などによりロック部９ｂ側へ移動するのが抑制されるため、回転ピン７をその都度回転部９ａ側へ移動させてから、挿抜レバー６を回転するなどの面倒な手間を省くことができる。
【００５９】
又、長孔の回転部９ａとロック部９ｂをほぼ同形にする場合に、図９に示すように、回転部９ａとロック部９ｂとを接続する接続部に、回転部９ａ及びローラ部９ｂよりも小径の狭窄部９ｃを一カ所又は複数箇所形成することにより、この狭窄部９ｃにより、回転ピン７が回転部９ａ及びロック部９ｂ間を弾性変形して移動する際に、この移動を制限することができ、回転部９ａ及びロック部９ｂの夫々の位置で、回転ピン７を確実に位置規制できる。この結果、挿抜レバー６の自重や衝撃で回転ピン７の位置が、例えばロック部９ｂから回転部９ａ側に移動せず、簡易のロック機構を構成することになり、ロックピン１０とロック凹部１２ｃとが構成するロック部と相俟って、挿抜レバー６がより安定してプリント基板２を保持できる。
【００６０】
【発明の効果】
この発明は以上詳述したように、プリント基板をブックシェルフ筐体の所定位置に挿入した後、プリント基板に回動及び上下動自在に支承された挿抜レバーを上下方向へ移動させて、挿抜レバーに設けられたロックピンを、ロック溝のロック凹部に係止するようにしたことから、電子装置の輸送中や使用中に、ブックシェルフ筐体やプリント基板に大きな振動や衝撃が作用しても、ロックピンがロック凹部より抜け外れることがない。
【００６１】
これによってプリント基板を確実に固定することができるため、電子装置の信頼性が向上すると共に、挿抜レバーを弾性変形させて、ロックピンをロック凹部に係合させることにより、挿抜レバーの弾性により常にロックピンがロック凹部に押し付けられるため、ロック凹部よりロックピンがさらに外れにくくなる。
【００６２】
また挿抜レバーを回動自在に支承する回転ピンに径方向に弾性を付与することにより、挿抜レバーを弾性変形させてロックピンをロック溝に入れる際、回転ピンが弾性変形するため、小さな力で挿抜レバーのロック操作が行えるようになると共に、回転ピンを支承する長孔のロック部側の径を回転ピンの外径よりやや小径にすることにより、挿抜ピンの自重によって回転ピンが回転部よりロック側へ移動するのを抑制することもできる。
【図面の簡単な説明】
【図１】この発明の実施の形態になるプリント基板の固定装置を採用したブックシェルフ筐体の斜視図
【図２】この発明の実施の形態になるプリント基板の固定装置に使用する挿抜レバーの斜視図
【図３】この発明の実施の形態になるプリント基板の固定装置に使用する挿抜レバーの分解斜視図
【図４】図３のＡ円内の拡大図
【図５】図３のＢ円内の拡大図
【図６】図３のＣ円内の拡大図
【図７】（イ）乃至（ニ）はこの発明の実施の形態になるプリント基板の固定装置の作用説明図
【図８】（イ）乃至（ロ）はこの発明の実施の形態になるプリント基板の固定装置の作用説明図
【図９】この発明の他の実施の形態になる図５と同じ拡大図
【図１０】従来のプリント基板の固定装置を示す斜視図
【図１１】図９のＨ円内の拡大図
【符号の説明】
１    ブックシェルフ筐体
１ａ  ガイドレール
２    プリント基板
３    マザーボード
４，５  コネクタ
６    挿抜レバー
６ａ  挿入用突部
６ｂ  抜出用突部
６ｃ  切欠き
７    回転ピン
７ａ  割り溝
８    係止部材
８ａ  立ち上り部
９    長孔
９ａ  回転部
９ｂ  ロック部
９ｃ  狭窄部
１０    ロックピン
１２    ロック溝
１２ａ  ピン挿入口
１２ｂ  ロック部
１２ｃ  ロック凹部
【図１】
0004209020.tif 000002
【図２】
0004209020.tif 000003
【図３】
0004209020.tif 000004
【図４】
0004209020.tif 000005
【図５】
0004209020.tif 000006
【図６】
0004209020.tif 000007
【図７】
0004209020.tif 000008
【図８】
0004209020.tif 000009
【図９】
0004209020.tif 000010
【図１０】
0004209020.tif 000011
【図１１】
0004209020.tif 000012